(57)【要約】  温度環境が激しく、吸気脈動が大きい環境下に取り付けられる気体流量測定装置において、逆流側は順流側とは異なった温度依存性を持っているため、順流側のみの温特補正では、脈動環境下で精度が十分に得られない課題がある。  順逆が検出可能な検出素子と検出した吸気流量を補正するためのマップが設けられており、吸気温度を検出するための吸気温度検出素子の温度信号に応じて吸気流量信号を順逆で補正することで温度変化が大きく脈動流の環境下でも吸気温度に影響することなく、高精度に吸入空気流量を検出することができる。
2020008786.tif 000002
【特許請求の範囲】
【請求項１】
バイパス通路と、
前記バイパス通路に設けられ、抵抗が形成されたダイアフラムを有する流量検出素子と、
吸入空気温度を検出する吸気温度検出素子と、
吸気流量を補正するための補正演算回路と、
回路温度を検出するための回路温度検出素子と、を備え、
前記流量検出素子の出力を回路温度検出素子の温度信号と吸気温度検出素子の温度の信号の少なくとも一方に応じて、吸入空気流量信号の少なくとも逆流側を補正することを特徴とする気体流量測定装置。
【請求項２】
請求項１に記載の気体流量測定装置であって、
前記流量検出素子の出力を、回路温度検出素子の温度の信号と吸気温度検出素子の温度の信号の少なくとも一方に応じて、吸入空気流量信号の順逆流を1つの補正テーブルで補正することを特徴とする気体流量測定装置。
【請求項３】
請求項１に記載の気体流量測定装置であって、
前記流量検出素子の出力を回路温度検出素子の温度の信号と吸気温度検出素子の温度の信号の少なくとも一方に応じて吸入空気流量信号の順逆流を1つの補正テーブルで補正する前に、順流側の最大流量と無風と逆流の最大流量の3点で3点調整することを特徴とする気体流量測定装置。
【請求項４】
請求項１に記載の気体流量測定装置であって、
前記流量検出素子の出力を回路温度検出素子の温度の信号と吸気温度検出素子の温度の信号の少なくとも一方に応じて吸入空気流量信号を順流補正テーブルと逆流補正テーブルで補正することを特徴とする気体流量測定装置。
【請求項５】
請求項１に記載の気体流量測定装置であって、
前記流量検出素子の出力を回路温度検出素子の温度の信号と吸気温度検出素子の温度の信号の少なくとも一方に応じて吸入空気流量信号を順流補正テーブルと逆流補正テーブルで補正する前に、順流側の最大流量と無風と逆流の最大流量の3点で3点調整することを特徴とする気体流量測定装置。
【請求項６】
請求項１に記載の気体流量測定装置であって、
前記流量検出素子の出力を回路温度検出素子の温度の信号と吸気温度検出素子の温度の信号の少なくとも一方に応じて吸入空気流量信号の順逆流を1つの補正テーブルで補正する前に、順流側の最大流量と無風と逆流の最大流量の3点で3点調整し、順流側と逆流側の調整比率が異なることを特徴とする気体流量測定装置。
【請求項７】
請求項１に記載の気体流量測定装置であって、
前記流量検出素子の出力を回路温度検出素子の温度の信号と吸気温度検出素子の温度の信号の少なくとも一方に応じて吸入空気流量信号を順流補正テーブルと逆流補正テーブルで補正する前に、順流側の最大流量と無風と逆流の最大流量の3点で3点調整し、順流側と逆流側の調整比率が異なることを特徴とする気体流量測定装置。
【発明の詳細な説明】
【技術分野】
【０００１】
本発明は、熱式流量測定装置に関する。
【背景技術】
【０００２】
自動車用エンジンにおいては、燃料噴射量を制御するために吸入空気流量を測定する必要がある。吸入空気流量を測定する装置の一種に、発熱抵抗体を用いた熱式流量測定装置がある。この熱式流量測定装置は、流量検出素子に形成される流量検出部と計測対象である吸入空気流量との間で熱伝達を行うことにより、吸入空気流量を計測するように構成されており、熱影響を正しく補正することで、高精度で吸入空気流量を計測できる。【０００３】
この熱式流量測定装置は、エンジンに吸入空気を取り込むための吸気管に取り付けられている。この吸気管内は、エンジンオイルや未燃焼ガス、EGRガス、吸気バルブの遅閉などのエンジン制御によって空気流れに乱れが生じて脈動が発生する環境である。さらに、エンジンや排気からの戻りガスによって、熱式流量測定装置が取り付けられる環境の温度が変化し、熱式流量測定装置の測定精度は、この温度影響を受ける。【０００４】
このような環境下で、吸入空気流量を高精度に計測するために、熱式流量測定装置は、気体流量検出信号の温度影響を低減するための補正をする必要がある。【０００５】
特許文献1には、補正マップを用いて環境温度が変わっても誤差を低減させることが開示されており、さらに、特許文献2には、脈動時の精度を向上させるために、脈動時誤差の差分を用いて逆流側の特性をテーブルを用いて変更することで脈動誤差を低減させることが開示されている。
【先行技術文献】
【特許文献】
【０００６】
【特許文献１】特許第６１０６６５４号
【特許文献２】特開２００２−２９５２９２号
【発明の概要】
【発明が解決しようとする課題】
【０００７】
近年では、燃費改善のため、アトキンソンサイクルによる吸気バルブが遅閉化、EGRシステムによる排気ガスの再吸入化が進んでおり、吸入空気測定装置が使用される環境は空気脈動が大きい環境となっている。さらに、エンジン排気量のダウンサイジング化に伴い、エンジンルーム内のレイアウト縮小化が進み、吸入空気測定装置が使用される環境がエンジンに近づくことで温度変化が激しい環境下となってきている。これらの吸気脈動が大きく、かつ温度変化が激しい環境の中でも吸入空気流量測定の高精度化が要求されている。【０００８】
吸入空気温度が変化することで、流量毎に必要な補正値も異なる。文献1にも記載されているように、これらに対応した補正を実現するために、吸気温度-吸気流量の2次元マップが設けられており、吸気温度が変わった場合には、その温度に応じた吸気流量のための補正値が算出される。さらに、文献2には脈動精度を向上させるために、脈動誤差の差分を逆流のテーブルを用いて補正される。【０００９】
一方で、厳しい温度環境下で大きな脈動が生じると順方向の温度依存性を補正するテーブルだけでは脈動が生じた際に逆流の温度依存性が補正されないために、誤差が大きくなってしまう課題があった。【００１０】
本発明の目的は、吸気温度の依存性を順流だけでなく、逆流も補正することで温度変化が大きく脈動流が大きい環境下でも高精度な出力が可能な熱式流量測定装置を提供することにある。
【課題を解決するための手段】
【００１１】
上記課題を解決するために、本発明では、請求項１に記載の構造を備える。
【発明の効果】
【００１２】
本発明によれば、順逆が検出可能な検出素子と検出した吸気流量を補正するためのテーブルと吸気温度を検出するための吸気温度検出素子を備え、吸気温度に応じて吸気流量信号を順逆で補正することで温度変化が大きく脈動流の環境下でも吸気温度に影響することなく、高精度に吸入空気流量を検出することができる。
【図面の簡単な説明】
【００１３】
【図１】気体流量測定装置のボディへの装着図
【図２】図1のA-A’断面図
【図３】基板を用いた場合の第一の実施形態の気体流量測定装置の回路
【図４】チップパッケージを用いた場合の第一の実施形態の気体流量測定装置の回路
【図５】気体流量信号補正ロジック図
【図６】第一の実施形態の補正ロジック図
【図７】第二の実施形態の補正ロジック図
【図８】図7の補正ロジックにおける補正マップ内のデータ配置図
【図９】図7の補正ロジックにおける入力信号オフセット後の補正マップ内のデータ配置図
【図１０】図7の補正ロジックにおける入力信号オフセットおよび伸縮後の補正マップ内のデータ配置図
【図１１】第三の実施形態の補正ロジック図
【図１２】第四の実施形態の補正ロジック図
【図１３】第四を実施する上での課題の補正ロジック図
【図１４】図13の補正ロジックにおける補正マップ内のデータ配置図
【発明を実施するための形態】
【００１４】
以下，本発明による気体流量測定装置の実施の形態について，図面を参照して説明する。
【実施例１】
【００１５】
本発明の第１の実施形態について、図1から図10を用いて説明する。図1は、本発明の第1の実施形態である気体流量測定装置1を吸気管に装着した図を示す。図2は、図1のA-A’断面図である。【００１６】
図2において、気体流量測定装置1は内燃機関の吸気流路を形成する気体通路ボディ(吸気管)3に取り付けられ、吸気通路ボディ3の内部に構成された主通路6を流れる気体(空気)8の流量を測定する。そのため、気体流量測定装置1は吸気通路ボディ3の内側で気体(空気)8にさらされる。気体流量測定装置1の内部には基板5が設けられ、基板5に気体温度検出素子2が備えつけられている。気体温度検出素子2は吸入される気体にさらされるように、気体流量測定装置1の上流側に備え付けられている。なお、気体温度検出素子2は、サーミスタあるいは、気体温度測定抵抗体とも呼ばれる。【００１７】
気体流量測定装置1には副通路7が設けられており、副通路7の内部に気体流量検出素子4が配置されている。気体流量検出素子4は流量検出素子4と呼んで接する場合もある。【００１８】
図3は本発明の第一実施例に係る気体流測定装置1の回路(基板を用いた場合)である。【００１９】
基板5には、気体温度検出素子2の他に、固定抵抗9や気体流量検出素子4が備えられており、この固定抵抗9と気体温度検出素子2の直列回路で気体温度検出回路22が構成されている。気体温度検出回路22は副通路7から隔離された位置に配置されている。固定抵抗9は基板5に直接実装されてもよいが、基板5上に設けられる集積回路21内に設けられても良い。
ここで、集積回路21としては、LSIやマイコンなどが考えられる。【００２０】
気体流量検出素子4は副通路7を流れる気体(空気)の流量を検出する素子であり、気体流量測定装置1は吸気流量検出素子4で検出した副通路7を流れる気体の流量に基づいて主通路6を流れる気体8の流量を測定する。【００２１】
図3において、気体温度検出素子2で検出した気体温度は、基板5上の気体温度検出回路22により、電圧信号に変換され、アナログ-デジタル変換器AD3 14に入力される、また、集積回路21内には、基板5の温度を検出するために温度センサ12が備え付けられている。温度センサ12は、集積回路21内の温度を検出することで、基板5の温度に相当する温度を検出する。これにより、気体温度と空気流量測定装置1のそれぞれの温度を検出することが出来る。【００２２】
気体温度検出回路22は、主通路(吸気流路)6に露出するように配置した気体温度検出素子2と固定抵抗9とを直列接続して構成されており、気体温度検出回路22には、レギュレータ23から出力される定電圧が供給されている。固定抵抗9と気体温度検出素子2との分圧値がアナログ-デジタル変換機(AD3)14を介してデジタル信号処理回路(DSP)10に入力される。デジタル信号処理回路(DSP)10には発振器20からの信号も入力されている。【００２３】
気体温度検出素子２で検出される気体温度および温度センサ１２で検出される基板５の温度（基板温度）は、気体流量検出素子４が配置された環境の温度（環境温度）として用いられ、気体流量検出素子４で検出される気体流量検出信号Ｑａを補正して環境温度の影響を低減するために用いられる。すなわち、気体温度検出素子２および温度センサ１２は、気体流量検出信号Ｑａを補正するための環境温度を検出する温度検出部（温度検出素子）として用いられる。このような温度検出部として、気体温度検出素子２および温度センサ１２以外の温度センサを設けてもよい。【００２４】
気体流量検出素子４で検出される気体流量検出信号Ｑａおよび気体温度検出素子２で検出した気体温度検出信号Ｔａは、デジタル信号処理回路（ＤＳＰ）１０において補正される。【００２５】
補正を行うにあたって、気体流量検出素子4からの気体流量検出信号Qaをアナログ-デジタル変換器(AD1)  11によって変換したデジタル値、集積回路21内の温度センサ12からの基板温度信号Tpをアナログ-デジタル変換器(AD2)  13によって変換したデジタル値、および気体温度検出素子2(気体温度検出回路22)からの気体温度信号Taをアナログ-デジタル変換器(AD3)  14によって変換したデジタル値等の複数のデジタル値に基づいて、補正マップを用いて行われる。以下、補正マップは単にマップと呼んで説明する。このマップを用いた補正については、後で詳細に説明する。【００２６】
ここで各信号を次のように定義する。補正された気体流量信号を気体流量補正信号と呼ぶ。同様に、補正された気体温度信号を気体温度補正信号と呼び、補正された基板温度検出信号Ｔｐを基板温度補正信号と呼ぶ。検出した気体流量検出信号Ｑａと補正した気体流量補正信号Ｑａｏｕｔとを特に区別する必要が無い場合は、気体流量信号と呼んで説明する。また検出した気体温度検出信号Ｔａと補正した気体温度補正信号とを特に区別する必要が無い場合は気体温度信号と呼んで説明し、基板温度検出信号Ｔｐと補正した基板温度補正信号とを特に区別する必要が無い場合は基板温度信号と呼んで説明する。【００２７】
気体流量補正信号および気体温度補正信号のデジタル値は、デジタル-アナログ変換（ＤＡ１）１６およびデジタル-アナログ変換器（ＤＡ２）１８を用いてアナログ変換され、電圧信号として出力される。一方、気体流量補正信号のデジタル値をフリーランニングカウンタ（ＦＲＣ１）１７を用いてアナログ変換すると、周波数信号として出力される。同様に、気体温度補正信号のデジタル値をフリーランニングカウンタ（ＦＲＣ２）１９を用いてアナログ変換すると、周波数信号として出力される。さらに、気体流量補正信号と気体温度補正信号とはＳＥＮＴ信号生成器２７を用いてＳＥＮＴ信号として複合信号で出力される。ここで、ＳＥＮＴとはＳＡＥで規定されるデジタル通信方式である。【００２８】
これら、デジタル-アナログ変換器１６，１８とフリーランニングカウンタ１７，１９とＳＥＮＴ生成器２７との出力は、マルチプレクサ（ＭＵＸ１）２４およびマルチプレクサ（ＭＵＸ２）２５の設定で選択され、気体流量信号の出力信号Ｑｏｕｔおよび気体温度信号の出力信号Ｔｏｕｔとして出力される。マルチプレクサの設定は，ＰＲＯＭ１５内の定数できりかえることができる。さらに、気体流量測定装置１はＥＣＵ２６と電気的に接続され、気体流量信号の出力信号Ｑｏｕｔおよび気体温度信号の出力信号ＴｏｕｔをＥＣＵ２６に送っている。また、気体流量測定装置１はＥＣＵ２６から電源Ｖｃｃと接地電源ＧＮＤの供給を受けている。【００２９】
上述した集積回路２１は、気体流量（気体流量検出信号Ｑａ）を補正するための補正演算部（補正演算回路）を構成する。なお、補正演算部を補正部と呼んで説明する場合もある。【００３０】
図４は、本発明の第一実施例に係る気体流量測定装置1の回路（チップパッケージを用いた場合）である。【００３１】
図３では基板５に気体温度検出回路２２を設ける例を説明したが、図４に示すように、気体温度検出回路２２や気体流量検出素子４が樹脂でパッケージされたチップパッケージ２８で構成されていても良い。【００３２】
次に、気体温度信号を用いて気体流量信号を補正する方法について説明する。【００３３】
本実施例では、気体流量信号を補正するためにマップを用いる。マップとは、規格化された気体流量信号と気体温度信号に対する補正定数とを格子状に並べたものをいい、このマップを用いて気体流量信号および気体温度信号に応じて気体流量信号の補正値を算出する方法をマップ補正という。【００３４】
図６は、本発明の第一実施例に係る吸入空気流量信号の補正ロジック図である。【００３５】
本実施例では、気体流量検出信号Ｑａ、基板温度検出信号Ｔｐ、気体温度検出信号Ｔａをデジタル値に変換した信号を用いて補正を行うにあたって、補正に用いる温度信号に関しては、基板温度検出信号Ｔｐまたは気体温度検出信号Ｔａのいずれか一方を選択するスイッチ２９が設けられている。スイッチ２９はＰＲＯＭ（ＰＲＯＭは，ＥＰＲＯＭ，ＥＥＰＲＯＭ，フラッシュなどの不揮発メモリである）１５内の定数によって切り替えることが可能である。また、マップでは、任意の温度ごとに格子点が配列されており、格子点に各格子点の温度Ｔおよび流量Ｑに応じた補正定数（補正量）が格納されている。気体温度検出信号Ｔａまたは基板温度検出信号Ｔｐが示す温度Ｔと気体流量検出信号Ｑａが示す流量Ｑとが格子点間にある場合は、格子点間を線形補間することによって補正定数が算出され、算出された補正定数を用いて気体流量検出信号Ｑａが補正される。これによって広い範囲の温度の補正を可能としている。【００３６】
一般的な補正マップでは、直行格子が用いられているが、図5に示すように、順流のみの温度依存性を補正しており、逆流側には温度依存性を補正する補正マップが設けられていなかった。逆流に関しては、温度依存性は考慮せず、どの温度においても、逆流マップ30によって流量に対してのみ補正される構成になっている。脈動領域では逆流が発生し、かつ温度依存性があり、逆流側の温度依存性は順流側と異なる温度依存性があることを本筆者らの検討により見出した。【００３７】
そこで、図6に示すように、本実施例では、逆流側の領域を含め、順流側と逆流側の両方が温度依存性を補正することが可能な温特補正マップを用いることで順流側と逆流側の異なる温度依存性を補正することが可能となる。【００３８】
なお、実測点の補正定数を算出する際の補間の方法については、線形補間に限定される訳ではない。線形補間以外の補間方法により複数の格子点の間を内挿して補正定数を求めてもよい。
【実施例２】
【００３９】
次に、実施例２について図7、図8、図9、図10より説明する。実施例1と同様の構成については説明を省略する。【００４０】
実施例1では、順流側と逆流側を温特補正マップで補正する例を示したが、実施例2では、補正マップによる補正前に入力信号Qを順流の最大流量と逆流の最大流量と無風の3点で3調整することで、逆流と順流の温度依存性を補正しつつ、さらに精度を向上する例を示す。補正マップは直行格子を用いているが、図8に示すように入力信号は格子位置に対して最適な配置になっていない。さらに、順流側と逆流側では温度によって傾向が異なっており、直行格子の補正マップだけでは多くの格子点数が必要となる。これらに対して、補正マップの前に3点調整を設けることで、順流と逆流の傾向差を改善し、直行格子であっても精度良く補正できるように再配列することができる。【００４１】
具体的には、補正マップ直前に流量の入力信号Qを順流の最大流量と逆流の最大流量と無風の3点を用いて、入力信号Q’に変換し、温度依存性を補正するための温度入力信号Tを用いて補正される。このとき、温度の入力信号Tは直行格子に最適な配置に再配列するために、T’に変換して用いることもできる。【００４２】
入力信号の3点調整は、図9に示すように入力信号ΔQ2-5’からΔ23’を無風時の入力値Δ20’が順流と逆流の境界31となるようにオフセットさせる。このとき、各温度のオフセット量は同じではなくて温度ごとにオフセット量を変えることができる。たとえば、ΔQ2-5’からΔ23’を無風時の入力値Δ20’が順流と逆流の境界31となるようにオフセットさせるオフセット量と、入力信号ΔQ3-5’からΔ33’を無風時の入力値Δ30’が順流と逆流の境界31となるようにオフセットさせるオフセット量は異なる。その後、図10に示すように、順流の最大流量Δ23’と逆流の最大流量ΔQ2-5’が補正マップの逆流側の最大格子位置32と順流側の最大格子位置33以内で、補正マップを最大限有効に使用できるように伸縮変換する。このときもオフセット時と同様、各温度の伸縮量は同じではなく、温度ごとにオフセット量を変えることができる。たとえば、ΔQ2-5’からΔ23’をオフセットさせたΔQ2-5”からΔ23”を伸縮させた伸縮率とΔQ3-5’からΔ33’をオフセットさせたΔQ3-5”からΔ33”を伸縮させた伸縮率は異なる。【００４３】
本実施例によれば、補正マップが直行格子であっても、3点調整によって変換された入力信号Q’を用いることで、温特補正マップが最大限有効に活用でき、補正精度を向上することが可能となる。直行格子のメリットとしては、メモリおよび演算不可の低減から、演算処理部のサイズ低減および演算速度が向上できる。
【実施例３】
【００４４】
次に、実施例３について図11より説明する。実施例1および実施例2と同様の構成については説明を省略する。【００４５】
本実施例では、逆流側の補正マップを順流側の補正マップと同様温度依存性を補正できる、温度、流量、補正量の3次元マップを用いている。【００４６】
本実施例によれば、逆流側が順流側と異なる温度依存性であっても、逆流のための補正マップを設けることで最適に順逆両方を補正することが可能となる。
【実施例４】
【００４７】
次に、実施例４について図１２を用いて説明する。実施例１から3と同様の構成については説明を省略する。【００４８】
本実施例では、入力信号を事前に3点調整してから順流補正マップおよび逆流補正マップを用いて補正する。ここで、図13に示すように、順流マップおよび逆流マップそれぞれに対してオフセットおよび伸縮補正を行ってしまうと、図14に示すように、ΔQ20’を補正マップ最下格子の31までオフセットさせると、ΔQ20’と補正マップ最下格子31の間の領域は、補正マップ最下格子31よりも下にオフセットされてしまう。つまり、補正マップからはみ出してしまい、補正されない領域が存在してしまう。同様に逆流マップでも補正されない領域が存在してしまい低流量での調整精度が悪化してしまう。そのため、図12に示すように、3点調整は、それぞれのマップ(順流と逆流)の直前でそれぞれ伸縮するのではなく、順逆同時に3点調整した後に順流補正マップと逆流補正マップに振り分ける構成にすることで、補正マップからはみ出ることなく全域補正できるため、低流量の精度を向上しつつ、逆流の温特を補正することが可能となる。
【実施例５】
【００４９】
次に、実施例５について図10を用いて説明する。なお、実施例1から実施例４と同様の構成については、説明を省略する。【００５０】
基本的な構成は実施例2と同じ構成であるが、図10に示すように、オフセット後の入力信号を伸縮させる際に、順流側と逆流側では傾向が異なることから順流側の伸縮率と逆流側の伸縮率が異なる。実施例2では順流側および逆流側の伸縮率は共に(ΔQ23’’’-ΔQ2-5’’’)/ (ΔQ23”-ΔQ2-5”)で計算されていたが、本実施例では、順流側伸縮率は(ΔQ23’’’-ΔQ20’’’)/ (ΔQ23”-ΔQ20”)、逆流側伸縮率は(ΔQ20’’’-ΔQ2-5’’’)/ (ΔQ20”-ΔQ2-5”)となり、(ΔQ23’’’-ΔQ20’’’)/ (ΔQ23”-ΔQ20”)≠(ΔQ20’’’-ΔQ2-5’’’)/ (ΔQ20”-ΔQ2-5”)となっており、順流および逆流をそれぞれで最適化することができる。【００５１】
本実施例によれば、順流と逆流の特性が異なる特性であっても1つの補正マップで入力信号を補正マップの格子点に対して最適な配置とすることが可能となり、高精度に補正することが可能となる。
【実施例６】
【００５２】
実施例4では、順流側と逆流側で補正マップを設けており、それぞれの補正マップの前に順逆同時に3点調整する。このときの3点調整は、図10に示すように、オフセット後の入力信号を伸縮させる際に、順流側と逆流側では傾向が異なることから順流側の伸縮率と逆流側の伸縮率が異なる。【００５３】
実施例4では順流側および逆流側の伸縮率は共に(ΔQ23’’’-ΔQ2-5’’’)/ (ΔQ23”-ΔQ2-5”)で計算されていたが、本実施例では、順流側伸縮率は(ΔQ23’’’-ΔQ20’’’)/ (ΔQ23”-ΔQ20”)、逆流側伸縮率は(ΔQ20’’’-ΔQ2-5’’’)/ (ΔQ20”-ΔQ2-5”)となり、(ΔQ23’’’-ΔQ20’’’)/ (ΔQ23”-ΔQ20”)≠(ΔQ20’’’-ΔQ2-5’’’)/ (ΔQ20”-ΔQ2-5”)となっており、順流および逆流をそれぞれで最適化することができる。【００５４】
本実施例によれば、順流と逆流の特性が異なる特性であっても入力信号を順流側と逆流側のそれぞれの補正マップの格子点に対して最適な配置とすることが可能となり、高精度に補正することが可能となる。【００５５】
ここで、流量検出素子を支持する支持部として、流量検出素子の一部を樹脂により封止するパッケージ構造を例に挙げたが、セラミック基板やプリント基板、樹脂成型体等、流量検出素子を支持しつつ分流しているような他の構造でも良いことは言うまでも無い。
【符号の説明】
【００５６】
１‥気体流量測定装置，２‥気体温度検出素子，３‥吸気管，４‥吸気流量検出素子，５‥基板，６‥主通路，７‥副通路，８‥空気の流れ，９‥固定抵抗，１０‥デジタル信号処理DSP，１１‥アナログ-デジタル変換器AD1、１２‥集積回路内の温度センサ、１３‥アナログ-デジタル変換器AD2、１４‥アナログ-デジタル変換器AD3、１５‥PROM、１６‥デジタル-アナログ変換器DA1、１７‥フリーランニングカウンタFRC1、１８‥デジタル-アナログ変換器DA2、１９‥フリーランニングカウンタFRC2、２０‥発振器、２１‥集積回路、２２‥気体温度検出回路、２３‥レギュレータ、２４‥マルチプレクサMUX1、２５‥マルチプレクサMUX2、２６‥エンジンコントロールユニットECU、２７‥SENT生成器、２８‥チップパッケージ、２９‥スイッチ、３０‥逆流マップ(温度依存補正無)、３１‥順逆補正マップの境界、３２‥補正マップの逆流側の最大格子位置、３３‥補正マップの順流側の最大格子位置
【図１】
2020008786.tif 000003
【図２】
2020008786.tif 000004
【図３】
2020008786.tif 000005
【図４】
2020008786.tif 000006
【図５】
2020008786.tif 000007
【図６】
2020008786.tif 000008
【図７】
2020008786.tif 000009
【図８】
2020008786.tif 000010
【図９】
2020008786.tif 000011
【図１０】
2020008786.tif 000012
【図１１】
2020008786.tif 000013
【図１２】
2020008786.tif 000014
【図１３】
2020008786.tif 000015
【図１４】
2020008786.tif 000016
【国際調査報告】
2020008786.tif 000017
2020008786.tif 000018
2020008786.tif 000019
2020008786.tif 000020